(57)【要約】【課題】  視聴移行を行った際に、放送受信装置間の放送時刻の差によって番組を視聴できない時間が生じてしまうことを防止することが出来る放送受信装置および放送受信制御システムを提供する。【解決手段】  本発明の放送受信装置および放送受信制御システムは、放送受信手段１０４、１１４と表示手段１０２、１１２と、音声再生手段１０９、１１９と、操作手段１０６、１１６と、通信手段１０５、１１５と記録手段１０８、１１８と電力供給手段１０３、１１３を備え、放送されている番組の番組内時刻の取得手段を持って、それにより番組の表示方法を決定する。【選択図】  図１
2009130823.tif 000002
【特許請求の範囲】
【請求項１】
放送受信手段と表示手段と、音声再生手段と、操作手段と、通信手段と記録手段と電力供給手段と、放送されている番組の放送内時刻の取得手段を備え、前記番組内時刻により番組の表示方法を決定することを特徴とする放送受信装置。
【請求項２】
前記、表示手段として、他の表示装置に映像を出力する手段を持つことを
特徴とする請求項１に記載の放送受信装置。
【請求項３】
前記、電力供給手段として、電池を用いることを
特徴とする請求項１又は、請求項２に記載の放送受信装置。
【請求項４】
前記、操作手段によって、表示方法を決定することを
特徴とする請求項１〜請求項３のいずれかに記載の放送受信装置。
【請求項５】
視聴者の移動を検知する手段を持つことを
特徴とする請求項１〜請求項４のいずれかに記載の放送受信装置。
【請求項６】
視聴者の移動を検知結果により、表示方法を決定することを
特徴とする請求項４に記載の放送受信装置。
【請求項７】
請求項１〜請求項６のいずれかに記載の放送受信装置間の通信内容として、番組情報および番組内時刻を送信することを
特徴とする放送受信制御システム。
【請求項８】
前記、通信内容に応じて、表示方法を決定することを特徴とする請求項７に記載の放送受信制御システム。
【発明の詳細な説明】
【技術分野】
【０００１】
本発明は、放送受信装置及び、その制御システムに関するものであり、特に、装置間の制御に関するものである。
【背景技術】
【０００２】
近年、パーソナルコンピュータや携帯電話で放送受信機能を持つ物が増えてきた。これに伴い、ある放送受信装置で視聴していた番組の続きを別の放送受信装置で視聴する、いわゆる視聴移行が行なわれるようになってきた。
【０００３】
視聴移行を行なう際には、移行前と移行後の放送受信装置を制御し、番組視聴に必要な番組情報を伝送する必要がある。
【０００４】
例えば特許文献１では、その手法の例が提示されている。
【特許文献１】特開2004-228639号公報
【発明の開示】
【発明が解決しようとする課題】
【０００５】
実際の放送受信装置においては、放送受信装置ごとに放送している番組の放送上の時刻が異なっている。例えば、ある放送受信装置で12時0秒の放送を流しているときに、別の放送受信装置では12時10秒の放送を流していることがあり得る。以下にその原理を説明する。
【０００６】
放送の形態によって、番組は異なる符号化処理がなされている。地上デジタル放送であればMPEG2形式、携帯機器向けのワンセグメント放送ではH264形式である。放送局で作成された番組は各種符号化装置に向けて同時に発信されるが、符号化にかかる時間が符号化形式ごとに異なるので、そこで時間差が生じる。また、放送受信装置においても、機器ごとに復号化や画作りのための画像処理にかかる時間が異なるため、放送波を受信してから実際に画面に番組が表示されるまでの時間が異なる。このように放送局と放送受信装置の要因が合わさって、放送時間差が生じる。H264形式がMPEG2形式よりも符号化・復号化の処理量が多く、携帯機器の処理能力は非携帯機器の処理能力よりも低いことが多いので、ワンセグメント放送の放送の遅延は地上デジタル放送の遅延よりも大きくなることが多い。
【０００７】
上記のように視聴移行前後に視聴者が見ている番組に放送時間差があるため、上記特許文献のように番組情報を送るだけでは、放送の遅延時間の大きい放送受信装置から放送の遅延時間の小さい放送受信装置へ視聴移行を行なうときに、番組を視聴できない時間が生じてしまうという問題があった。そのことは有料放送を視聴しているときに特に問題となる。
【０００８】
本発明では上記のような視聴移行を行なう際に，映像、音声の時間的なずれを生じることがなく、視聴移行を行なうことが出来る放送受信装置及び放送受信装置の制御方法を提供することを目的とする。
【課題を解決するための手段】
【０００９】
上述した課題を解決するために、本発明は、放送受信手段と表示手段と、音声再生手段と、操作手段と、通信手段と記録手段と電力供給手段を備え、放送されている番組の番組内時刻の取得手段を持って、それにより番組の表示方法を決定することを特徴とする。
【発明の効果】
【００１０】
本発明によれば、本発明は、放送受信手段と表示手段と、音声再生手段と、操作手段と、通信手段と記録手段と電力供給手段を備え、放送されている番組の番組内時刻の取得手段を持持って、それにより番組の表示方法を決定することができるので、視聴移行を行った際に、放送受信装置間の放送時刻の差によって番組を視聴できない時間が生じてしまうことを防止することが出来る。
【発明を実施するための最良の形態】
【００１１】
次に、本発明の詳細を実施例の記述に従って説明する。
【実施例１】
【００１２】
以下、本発明による放送受信装置およびその制御システムの第１の実施形態を説明する。
【００１３】
図１は、本実施形態に係る放送受信装置および画像再生システムの構成例を示すブロック図である。
【００１４】
１００は視聴移行前の放送受信装置全体を表す。１１０は視聴移行後の放送受信装置全体を表す。放送受信装置の例としてはプラズマテレビや液晶テレビなどの設置型の放送受信装置、ＰＤＡや携帯電話などの携帯型機器で放送受信が可能な装置などが挙げられる。また、セットトップボックスのように外部にモニタを接続するような装置でもよい。
【００１５】
１０１は放送受信装置１００全体の制御および各種演算を行う演算制御部である。１１１は放送受信装置１１０全体の制御および各種演算を行う演算制御部である。演算制御部は例えば、ＣＰＵ、ＲＯＭ及びＲＡＭ、あるいは、これらと同等の機能を有するマイコンなどの集積回路などで構成することができる。
【００１６】
１０２は放送受信装置１００が受信した番組の表示処理を行う表示部である。１１２は放送受信装置１１０が受信した番組の表示処理を行う表示部である。
【００１７】
表示部はＣＲＴ、液晶パネル、有機ＥＬパネルなどで構成される。外部にモニタを接続する機能を備えていても良い。
【００１８】
１０３は放送受信装置１００に電力を供給する電源部である。１１３は放送受信装置１１０に電力を供給する電源部である。電源部は電源制御回路で構成される。電池のような、電力供給源を含んでいても良い。
【００１９】
１０４は放送受信装置１００の放送受信処理を行う放送受信部である。１１４は放送受信装置１１０の放送受信処理を行う放送受信部である。放送受信部は地上デジタル放送などの各種放送の受信を行うチューナ回路と、そのデコード処理を行うデコード回路で構成される。
【００２０】
１０５は放送受信装置１００が、外部の機器とのデータの通信制御を行う通信部である。１０６は放送受信装置１１０が、外部の機器とのデータの通信制御を行う通信部である。通信方式は無線通信でも有線通信でも良い。データのプロトコルとしてはＵＳＢやＩＥＥＥ１３９４などが考えられるが、どの方式でもかまわない。
【００２１】
１０６は表示機器１００の操作部である。１１６は表示機器１１０の操作部である。操作部はボタンや十字キーなどで構成される。リモートコントローラーによって構成されていても良い。
【００２２】
１０７は表示機器１００の移動検知部である。１１７は表示機器１１０の移動検知部である。移動検知部はセンサにより構成され、視聴者と放送受信処理１１０の距離を検知する。センサとしては、赤外線センサや、ＵＷＢセンサなどが考えられるが、それらに制限される物ではない。
【００２３】
１０８は表示機器１００の記録部である。１１８は表示機器１１０の記録部である。記録部１１０はハードディスク、フラッシュメモリなどのメモリデバイス、及びその制御回路で構成されている。
【００２４】
１０９は表示機器１００の音声再生部である。１１９は表示機器１１０の音声再生部である。音声再生部はスピーカーやヘッドフォン、外部音声出力機構、およびその制御回路で構成されている。
【００２５】
図２および図３を参照して、本実施形態における放送受信装置およびその制御システムの動作について説明する。本実施例においては、放送受信装置１００の放送遅延は放送受信装置１１０の放送遅延よりも大きいものとする。また、本実施例では視聴者が携帯型放送受信装置を視聴しながら、設置型の放送受信装置に移動してきて、視聴移行を行うような状況を想定している。
【００２６】
図２は本発明の本実施形態における放送受信装置およびその制御システムにおける視聴者の視聴状態について補助的に説明するための図である。上から順に、演算制御部１１１内部のデータ、表示部１１２の表示画面、演算制御部１０１内部のデータ、表示部１０２表示画面がある時刻においてどのような状態になっているかを示している。時刻は時間順にｔ０、ｔ１、ｔ２、ｔ３となっているが、必ずしも等間隔ではない。
【００２７】
図２中のＡ、Ｂ、Ｃ、Ｄ、Ｃ’、Ｄ'、Ｅ’は受信されたある番組のあるフレームを表している。“消”は該当箇所がスタンバイ状態であることを示している。視聴者が視聴しているフレームを表示している表示画面が塗りつぶされている。
【００２８】
図３は本実施形態における放送受信装置およびその制御システムのフローチャートである。図２と絡めて説明する。
【００２９】
ステップＳ３０１において、視聴者は放送受信装置１００の視聴を開始する。このとき、図２ ｔ０のように、放送受信装置１００は放送受信部１０４で処理された演算制御部１０１でフレームＡを処理し、表示部１０２に表示している。
【００３０】
放送受信装置１１０の演算制御部１１１および表示部１１２はスタンバイ状態になっている。
【００３１】
ステップＳ３０２において、放送受信装置１１０の移動検知部１１７は視聴者と放送受信装置１１０の距離が近づいてきているかを判定する。近づいている場合はステップＳ３０３へ、そうでない場合はステップＳ３０２に移る。
【００３２】
ステップＳ３０３において、放送受信装置１００の演算制御部１０１は番組Xと放送受信装置１００での放送時刻Taを取得し、通信部１０５を通じて放送受信装置１１０へ送信する。
【００３３】
放送時刻の取得方法は以下の通りである。事前に放送受信装置１００、放送受信装置１１０、それぞれで、EIT（イベント情報テーブル）によるある番組の開始情報が来たときの時刻と内蔵時計の差を計測しておくことによって放送時刻の遅延を取得しておく。放送局ごとに例えば一日ごとなど、定期的に測定してテーブルを記録部に持っておく。番組は何でも良い。放送内の時報など、他の手段で放送時刻を取得しても良い。
【００３４】
ステップＳ３０４において、放送受信装置１１０の演算制御部１１１はスタンバイ状態から復帰し、放送受診部への受診開始指示を出し、番組の記録部１１８への記録を開始する。このとき表示部１１２はまだスタンバイ状態である。
この状態が図２ ｔ１に相当する。放送受信装置１００ではフレームＢを受信しており、放送受信装置１１０ではフレームＢよりも放送時刻が遅いフレームＣ’を受信している。
【００３５】
ステップＳ３０５において、放送受信装置１１０の演算制御部１１１は放送受信装置１１０での放送時刻Tbを取得する。
【００３６】
ステップＳ３０６において、放送受信装置１１０の演算制御部１１１は、放送受信装置１１０と放送受信装置１００の放送時刻の差Tc=Tb-Ta を計算する。
【００３７】
Tcは図２のフレームＢとＣ’、フレームＣとＤ’、フレームＤとＥ’の放送時刻の差に相当する。
【００３８】
ステップＳ３０７において、放送受信装置１１０の移動検知部１１７は視聴者と放送受信装置１１０の距離が、視聴距離以内になっているかを判定する。判定された場合はステップＳ３０８へ、そうでない場合はステップＳ３０７へと移る。視聴距離とは放送受信装置の視聴に適した距離で、例えば３ｍである。
【００３９】
ステップＳ３０８において、放送受信装置１１０で、記録部１１８に記録した番組を現在の時刻のTc秒前から番組Xの再生を開始する。表示部１０２と表示部１１２では瞬間的に同一のフレームが表示される。この状態が図２ ｔ２に相当する。
【００４０】
放送受信装置１１０での再生は、通常の再生方法でも良いし、再生が受信している内容に追いつくまで、時間をつめて再生するようにしても良い。
【００４１】
ステップＳ３０９において、放送受信装置１００の演算制御部１０１および表示部１０２はスタンバイ状態へと移る。この状態が図２ ｔ３に相当する。
【００４２】
なお、本実施例においては視聴者の位置検知を、移動検知部１１７を用いて判定しているが、視聴者が操作部１０８を用いて移動状態を放送受信装置１００に指示し、それを通信部１０５を通じて、放送受信装置１１０に伝えるようにしても良い。
【００４３】
また、ステップＳ３０９において放送受信装置１００をスタンバイ状態にしているが、そのようにしなくても良い。つまり視聴者が同時に２つの放送受信装置を視聴できるようにしても良い。
【００４４】
以上のように本実施例では、視聴移行前の放送受信装置と視聴移行後の放送受信装置での放送時刻の差を考慮して、視聴移行を行うようにしているので、視聴移行を行った際に、放送受信装置間の放送時刻の差によって番組を視聴できない時間が生じてしまうことを防止することが出来る。
【実施例２】
【００４５】
以下、本発明による放送受信装置およびその制御システムの第２の実施形態を説明する。
【００４６】
本実施例では、視聴者の移動判定手段以外は第１の実施例と同等であるので説明は省略する。本実施例では視聴者が設置型の放送受信装置を視聴している時に移動し、別の設置型の放送受信装置で視聴移行を行うような状況を想定している。
【００４７】
図４は本実施形態における放送受信装置およびその制御システムのフローチャートである。
【００４８】
ステップＳ４０１はステップＳ３０１と同等である。
【００４９】
ステップＳ４０２において、放送受信装置１００の移動検知部１０７は視聴者と放送受信装置１００の距離が変化しているかを判定する。変化している場合にはステップＳ４０３へ、変化していない場合にはステップＳ４０２へ移る。
【００５０】
ステップＳ４０３において、放送受信装置１１０の移動検知部１１７は視聴者と放送受信装置１１０の距離が近づいてきているかを判定する。近づいている場合はステップＳ４０４へ、そうでない場合は視聴者が移動したのは、視聴移行を行うためではないことになるので、フローを終了する。
【００５１】
ステップＳ４０４はステップＳ３０３と、ステップＳ４０５はステップＳ３０４と、ステップＳ４０６はステップＳ３０５と、ステップＳ４０７はステップＳ３０６と、ステップＳ４０８はステップＳ３０７と、ステップＳ４０９はステップＳ３０８と、ステップＳ４１０はステップＳ３０９と、それぞれ同等である。
【００５２】
以上のように本実施例では、視聴移行前の放送受信装置と視聴移行後の放送受信装置での放送時刻の差を考慮して、視聴移行を行うようにしているので、視聴移行を行った際に、番組を視聴できない時間が生じてしまうことを防止することが出来る。
【図面の簡単な説明】
【００５３】
【図１】本発明の第１の実施形態に係る放送受信装置およびその制御システムの構成例を示すブロック図である。
【図２】本発明の第１の実施形態に係る放送受信装置およびその制御システムにおける視聴者の視聴状態について説明した図である。
【図３】本発明の第１の実施形態に係る放送受信装置およびその制御システムのフローチャートである。
【図４】本発明の第２の実施形態に係る放送受信装置およびその制御システムのフローチャートである。
【符号の説明】
【００５４】
１００  放送受信装置（視聴移行前）
１０１  演算制御部
１０２  表示部
１０３  電源部
１０４  放送受信部
１０５  通信部
１０６  操作部
１０７  移動検知部
１０８  記録部
１０９  音声再生部
１１０  放送受信装置（視聴移行後）
１１１  演算制御部
１１２  表示部
１１３  電源部
１１４  放送受信部
１１５  通信部
１１６  操作部
１１７  移動検知部
１１８  記録部
１１９  音声再生部
【図１】
2009130823.tif 000003
【図２】
2009130823.tif 000004
【図３】
2009130823.tif 000005
【図４】
2009130823.tif 000006